(57)【要約】      （修正有）【課題】陳列された商品を安定に支持しつつ、高い商品視認性を有する商品陳列用什器を提供する。【解決手段】商品陳列用什器は、商品Ｍを陳列展示するための什器であって、手前から奥行き方向に複数の商品を陳列可能とする商品収容部１０５を備え、上記商品収容部１０５は横方向に複数列配置されており、上記商品収容部１０５の最前端位置に透明板１０７が配置される。また、上記商品収容部１０５は、陳列された商品列を左右それぞれの方向から支持する一対の側方支持部と、該商品列を下方から支持する下方支持部１１５と、を有していてもよい。【選択図】図１Ａ
2012024380.tif 000002
【特許請求の範囲】
【請求項１】
商品を陳列展示するための什器であって、
手前から奥行き方向に複数の商品を陳列可能とする商品収容部を備え、
前記商品収容部は横方向に複数列配置されており、
前記商品収容部の最前端位置に透明板が配置された、商品陳列用什器。
【請求項２】
前記商品収容部は、陳列された商品列を左右それぞれの方向から支持する一対の側方支持部と、該商品列を下方から支持する下方支持部と、を備えている、請求項１記載の商品陳列用什器。
【請求項３】
前記商品収容部は、奥側から手前方向に突設された棒材で形成された枠体構造を備えており、
前記枠体構造は、前記側方支持部と、前記下方支持部と、から構成されている、請求項２記載の商品陳列用什器。
【請求項４】
前記透明板の前面下端部は、前記下方支持部の先端部に形成された上方屈曲部によって支持され、
前記透明板の左右端部の前面は、最左端の第１側方支持部と最右端の第２側方支持部のそれぞれの先端に形成されたＬ字状屈曲部によって支持されており、
前記透明板の背面は、前記第１側方棒材部及び前記第２側方支持部以外の側方支持部である第３側方支持部の先端部が当接された状態で支持されている、請求項３記載の商品陳列用什器。
【請求項５】
前記Ｌ字状屈曲部は横方向に屈曲する形状である、請求項４記載の商品陳列用什器。
【請求項６】
前記第１側方支持部、第２側方支持部、及び第３側方支持部以外の側方支持部である第４側方支持部の先端に形成された下方屈曲部により、前記透明板の前面が支持されている、請求項４記載の商品陳列用什器。
【請求項７】
前記第３側方支持部と前記第４側方支持部とが、横方向に交互に設けられている、請求項６記載の商品陳列用什器。
【請求項８】
前記商品収容部の列が上下方向に複数段設けられている、請求項１〜７のいずれか一項に記載の商品陳列用什器。
【請求項９】
前記商品を奥側から手前方向に弾性力により押圧する弾性部材が、前記商品収容部に設けられている、請求項１記載の商品陳列用什器。
【発明の詳細な説明】
【技術分野】
【０００１】
本発明は、商品陳列用什器に関する。
【背景技術】
【０００２】
従来から、スーパーマーケット等の店舗において、商品を陳列するために商品陳列用什器が用いられている（例えば、特許文献１、２を参照）。商品陳列用什器により商品を陳列する方法には様々な方法が存在し、例えば、商品を手前から奥行方向に配列する方法等が挙げられる。このように、商品を手前から奥行方向に配列する方法を採用する場合、商品が手前側に落ちないようにするために、商品の手前にカバー材等を設ける必要があった。
【先行技術文献】
【特許文献】
【０００３】
【特許文献１】特開平９−３０８５５４号公報
【特許文献２】特開平１０−３２３２６３号公報
【発明の概要】
【発明が解決しようとする課題】
【０００４】
しかしながら、上記カバー材を設けると陳列された商品の外観の一部が隠されてしまうため、商品を購入しようとする者は、陳列された商品の外観に付された情報を満足に取得することはできずにいた。
【０００５】
例えば、商品の外観に顧客吸引力を発揮するための文字や図形等が付されている場合、商品の外観の一部が隠されてしまうと、商品の売り上げが落ちてしまうという懸念があった。従って、陳列された商品を安定に支持しつつ、当該商品に対する良好な視認性が確保された商品陳列用什器が希求されていた。
【０００６】
そこで、本発明は、上記課題に鑑みてなされたものであり、陳列された商品を安定に支持しつつ、当該商品に対する良好な視認性が確保された商品陳列用什器を提供することを主目的とする。
【課題を解決するための手段】
【０００７】
本発明に係る商品陳列用什器は、商品を陳列展示するための什器であって、手前から奥行き方向に複数の商品を陳列可能とする商品収容部を備え、上記商品収容部は横方向に複数列配置されており、上記商品収容部の最前端位置に透明板が配置されている。
本発明において、上記商品収容部は、陳列された商品列を左右それぞれの方向から支持する一対の側方支持部と、該商品列を下方から支持する下方支持部と、を有していてもよい。
また、上記商品収容部は、奥側から手前方向に突設された棒材で形成された枠体構造を有しており、上記枠体構造は、上記側方支持部と、上記下方支持部と、から構成されていてもよい。
さらに、上記透明板の前面下端部は、上記下方支持部の先端部に形成された上方屈曲部によって支持され、上記透明板の左右端部の前面は、最左端の第１側方支持部と最右端の第２側方支持部のそれぞれの先端に形成されたＬ字状屈曲部によって支持されており、上記透明板の背面は、上記第１側方棒材部及び上記第２側方支持部以外の側方支持部である第３側方支持部の先端部が当接された状態で支持されていてもよい。
また、上記Ｌ字状屈曲部は横方向に屈曲する形状であってもよい。
また、上記第１側方支持部、第２側方支持部、及び第３側方支持部以外の側方支持部である第４側方支持部の先端に形成された下方屈曲部により、上記透明板の前面が支持されていてもよい。
また、上記第４側方支持部と上記第３側方支持部とは、横方向に交互に設けられていてもよい。
また、上記商品収容部の列は、上下方向に複数段設けられていてもよい。
また、上記商品を奥側から手前方向に弾性力により押圧する弾性部材が、上記商品収容部に設けられていてもよい。
【発明の効果】
【０００８】
本発明によれば、陳列された商品を安定に支持しつつ、当該商品に対する良好な視認性が確保される。
【図面の簡単な説明】
【０００９】
【図１Ａ】本発明の第１の実施形態に係る商品陳列用什器の斜視図である。
【図１Ｂ】同実施形態に係る商品陳列用什器の正面図である。
【図１Ｃ】同実施形態に係る商品陳列用什器の側面から見た図であり、透明板に当接する棒材を説明するための図である。
【図１Ｄ】同実施形態に係る商品陳列用什器の正面図であり、透明板に当接する棒材を説明するための図である。
【図２】同実施形態に係る商品陳列用什器を上から見た図である。
【図３Ａ】同実施形態に係る商品陳列用什器の断面図であり、上方屈曲部を説明するための図である。
【図３Ｂ】同実施形態に係る商品陳列用什器の断面図であり、Ｌ字状屈曲部を説明するための図である。
【図３Ｃ】同実施形態に係る商品陳列用什器の断面図であり、第３側方支持部が透明板に対して当接する状態を説明するための図である。
【図３Ｄ】同実施形態に係る商品陳列用什器の断面図であり、下方屈曲部を説明するための図である。
【図４Ａ】同実施形態の変形例に係る商品陳列用什器の斜視図であり、商品情報表示部を説明するための図である。
【図４Ｂ】同実施形態の変形例に係る商品陳列用什器の正面図であり、商品情報表示部を説明するための図である。
【図４Ｃ】同実施形態の変形例に係る商品陳列用什器の商品情報表示部の側面図である。
【図５Ａ】本発明の第２の実施形態に係る商品陳列用什器の斜視図である。
【図５Ｂ】同実施形態に係る商品陳列用什器の脚部を説明するための図である。
【図６】同実施形態に係る商品陳列用什器の脚部を説明するための図である。
【図７】同実施形態に係る商品陳列用什器の側面図であり、看板支持部を説明するための図である。
【図８】同実施形態に係る商品陳列用什器に商品を陳列した状態を示す図である。
【図９】本発明の第３の実施形態に係る商品陳列用什器を上から見た図である。
【発明を実施するための形態】
【００１０】
以下、本発明を実施するための形態について、添付の図面を参照して、詳細に説明する。なお、本発明は、以下に説明する実施形態に限定されるものではない。
【００１１】
なお、説明は以下の順序で行うものとする。
１．本発明の第１の実施形態に係る商品陳列用什器１００について
２．本発明の第２の実施形態に係る商品陳列用什器２００について
３．本発明の第３の実施形態に係る商品陳列用什器３００について
【００１２】
［１．本発明の第１の実施形態に係る商品陳列用什器１００について］
まず、図１Ａ〜Ｄを参照しながら、本発明の第１の実施形態に係る商品陳列用什器１００の機能構成について説明する。図１Ａ〜Ｄは、同実施形態に係る商品陳列用什器１００を説明するための図である。
【００１３】
なお、図１Ａ〜Ｄに示すＸ方向とは、商品収容部１０５が配列される横方向を指す。また、図１Ａ〜Ｄに示すＹ方向とは、商品Ｍが手前から順次陳列されていく奥行き方向であり、上記Ｘ方向と直交する方向を指す。また、図１Ａ〜Ｄに示すＺ方向とは、ＸＹ面に垂直な方向であり、商品陳列用什器１００の上下方向を指す。なお、後述する図２、図３Ａ〜Ｄ、図４Ａ〜Ｃ、図５Ａ〜Ｂ、図６、図７、図８、及び図９における、Ｘ方向、Ｙ方向、及びＺ方向も図１Ａ〜Ｄに示すＸ方向、Ｙ方向、及びＺ方向と同一であるため、以下では説明を省略する。
【００１４】
図１Ａ及び図１Ｂに示す商品陳列用什器１００は、商品を陳列展示するための什器である。商品陳列用什器１００には、どのような商品が収容されてもよいが、例えば、外観に顧客吸引力を発揮するための文字や絵等が付され、パッケージ化された商品等が収容される。当該商品の具体例としては、種が袋詰めされており、袋の一部が透明であることで上記種が外部から視認されるような商品等が挙げられる。商品陳列用什器１００では、袋の一部が透明で種が袋詰めされた商品を陳列しても、袋の透明な部分を隠してしまうことなく、外部から種を視認することを可能にする。
【００１５】
図１Ａ及び図１Ｂに示すように、商品陳列用什器１００は、商品陳列用什器１００全体を支持する胴部１０１と、胴部１０１に設けられる商品収容部１０５と、商品収容部１０５のＹ軸正方向における最前端位置に配置される透明板１０７とを主に有する。
【００１６】
（１−１．胴部１０１について）
胴部１０１は、商品陳列用什器１００全体を支持し、商品収容部１０５を備えつける部分である。胴部１０１の形状は商品収容部１０５を備えつけることが可能であれば、特に限定されないが、例えば、胴部１０１は、棒材により形成された枠体構造であって、「コ」の字の形状に形成される。更に胴部１０１には、２本の棒材１０２、１０３が設けられ、商品収容部１０５を支えることができる。また、図示しないが、胴部１０１は、天井から吊下げられる形状のものであってもよい。
【００１７】
（１−２．透明板１０７について）
透明板１０７は、商品陳列用什器１００に収容される商品Ｍが手前側から落下することを防止する。透明板１０７の形状は、特に限定されないが、例えば、図１Ａ及び図１Ｂに示すように、略矩形の平板形状である。透明板１０７は、胴部１０１の枠体構造が形成する平面に対して略平行になるように、商品収容部１０５の最前端位置に設置される。なお、ここでいう、最前端位置とは、最もＹ軸正方向側に位置する商品Ｍの更にＹ軸正方向側の位置であり、後述する上方屈曲部１６５に当接しながら支持される位置を指す。また、透明板１０７は、横方向に並ぶ複数の商品収容部１０５の最前端位置に配置されるように形成される。
【００１８】
また、透明板１０７の背面下端部には、例えば、棒材１０４が商品収容部１０５上に載置されている。図１Ｃに示すように、棒材１０４は横方向に延設される。以下で詳述するが、図１Ｄに示すように、棒材１０４及び上方屈曲部１６５により、透明板１０７の下端部は挟持されることで支持される。
【００１９】
また、透明板１０７の材質は、透明板１０７を介して商品Ｍを視認可能なものであれば、特に限定されないが、例えば、透明なプラスチック、透明なガラス等の材料で形成される。このように、透明板１０７は透明であるので、商品収容部１０５に収容された商品の外観の視認性が確保される。
【００２０】
（１−３．商品収容部１０５について）
商品収容部１０５は、手前から奥行き方向に複数の商品Ｍを陳列させる。なお、ここでいう、手前から奥行方向への陳列とは、Ｙ軸負方向側への陳列であり、透明板１０７が形成される側から胴部１０１が位置する側への陳列を指す。
【００２１】
商品収容部１０５は胴部１０１に設けられる。商品収容部１０５は、横方向に複数列配列されており、何列設けられていてもよいが、例えば、図２に示すように横方向に４列配列される。なお、ここでいう、横方向とは、図２に示すＸ方向を指す。
【００２２】
商品収容部１０５の構造は、商品が陳列可能であり、透明板１０７を支持することが可能であれば、特に限定されないが、例えば、什器の軽量化の観点等から、図１Ａ及び図１Ｂに示すように胴部１０１から手前方向に突設された棒材で形成された枠体構造を採用できる。
【００２３】
上記枠体構造は、例えば、下方支持部１１５と、第１側方支持部１２５と、第２側方支持部１３５と、第３側方支持部１４５と、第４側方支持部１５５とから構成される。
【００２４】
下方支持部１１５は、商品収容部１０５に陳列された商品列を下方から支持する。なお、ここでいう、商品収容部１０５に陳列された商品列を下方から支持する状態とは、Ｚ軸負方向側から上記商品列を支持する状態を指す。
【００２５】
第１側方支持部１２５、第２側方支持部１３５、第３側方支持部１４５、及び第４側方支持部１５５は、いずれかが一対になることで、陳列された商品列を左右それぞれの方向から支持する。その支持の方法については、特に限定されないが、例えば、図１Ａ及び図１Ｂに示すように、商品陳列用什器１００では、第１側方支持部１２５と第３側方支持部１４５とが、最も左側に配列される商品列を支持する。また、第３側方支持部１４５と第４側方支持部１５５とが、左から２番目に配列される商品列を支持する。また、第４側方支持部１５５と第３側方支持部１４５とが、左から３番目に配列される商品列を支持する。また、第３側方支持部１４５と第２側方支持部１３５とが、最も右側に配列される商品列を支持する。なお、ここでいう、商品列に対する左とは、商品Ａに対するＸ軸負方向側を指し、商品列に対する右とは、商品Ａに対するＸ軸正方向側を指す。以下で、下方支持部１１５、第１側方支持部１２５、第２側方支持部１３５、第３側方支持部１４５、及び第４側方支持部１５５の機能構成について順により詳細に説明する。
【００２６】
＜１−３−１．下方支持部１１５について＞
まず、図１Ａ、図２、及び図３Ａを参照しながら下方支持部１１５について説明する。図２は、本実施形態に係る商品陳列用什器１００を上から見た図、すなわち、商品陳列用什器１００をＺ軸負方向側に見た図である。また、図３Ａは、本実施形態に係る商品陳列用什器の断面図（図２Ａで示した商品陳列用什器１００のＡ−Ａ断面図）である。
【００２７】
下方支持部１１５は、商品収容部１０５に陳列された商品列を下方から支持し、商品を支持することが可能であれば、どのような形状を有していてもよいが、例えば、図２に示すように、上から見た場合にＵ字状に加工された枠材で形成される。当該枠材に商品が載置されることで、商品は商品収容部１０５に配列される。また、図１Ａに示すように、奥行き側において上に屈曲した部分が棒材１０２、１０３に固定されることで、胴部１０１に支持される。
【００２８】
図３Ａに示すように、透明板１０７が設けられる手前側において、下方支持部１１５の先端部にはＺ軸正方向に屈曲した上方屈曲部１６５が形成される。透明板１０７の前面下端部１０７Ａは、上方屈曲部１６５に当接する。また、透明板１０７の背面下端部は、棒材１０４に当接する。そのため、透明板１０７の下端部は、下方支持部１１５の上方屈曲部１６５及び棒材１０４により支持される。なお、ここでいう、前面下端部１０７Ａとは、図３Ａに示すように、透明板１０７が上方屈曲部１６５に当接する部分であり、透明板１０７の面のうち前面側の面における下方部の端部を指す。また、背面下端部は、透明板１０７が棒材１０４に当接する部分であり、透明板１０７の面のうち背面側の面における下方部の端部を指す。
【００２９】
＜１−３−２．第１側方支持部１２５及び第２側方支持部１３５について＞
次に、図２及び図３Ｂを参照しながら第１側方支持部１２５、第２側方支持部１３５について説明する。図３Ｂは、本実施形態に係る商品陳列用什器の断面図（図２Ａで示した商品陳列用什器１００のＢ−Ｂ断面図）である。
【００３０】
第１側方支持部１２５及び第２側方支持部１３５は、それぞれ、例えば、第３側方支持部１４５と共に、下方支持部１１５に陳列された商品を支持するための一部材であり、胴部１０１から手前側に突設される。第１側方支持部１２５は、商品陳列用什器１００において最左端の側方支持部であり、また、第２側方支持部１３５は、最右端の側方支持部である。ここで言う、最左端とは、商品陳列用什器１００におけるＸ軸負方向側の端部を指す。また、最右端とは、商品陳列用什器１００におけるＸ軸正方向側の端部を指す。第１側方支持部１２５及び第２側方支持部１３５は、共に商品を収容することが可能であれば、形状は特に限定されないが、例えば、図２に示すように棒状に形成される。
【００３１】
また、図２に示すように、第１側方支持部１２５及び第２側方支持部１３５の夫々の先端にはＬ字状屈曲部１７５が形成される。第１側方支持部１２５のＬ字状屈曲部１７５は、手前側に突設された第１側方支持部１２５が、横方向、より具体的には右側に屈曲することで形成された部分である。また、第２側方支持部１３５のＬ字状屈曲部１７５は、手前側に突設された第２側方支持部１３５が、横方向、より具体的には左側に屈曲することで形成された部分である。図３Ｂに示すように、第１側方支持部１２５及び第２側方支持部１３５のＬ字状屈曲部１７５は、夫々、透明板１０７の左右端部の前面部分１０７Ｂに当接する。そのため、透明板１０７は、第１側方支持部１２５及び第２側方支持部１３５夫々のＬ字状屈曲部１７５により支持される。
【００３２】
＜１−３−３．第３側方支持部１４５について＞
次に、図２及び図３Ｃを参照しながら第３側方支持部１４５について説明する。図３Ｃは、本実施形態に係る商品陳列用什器の断面図（図２で示した商品陳列用什器１００のＣ−Ｃ断面図）である。
【００３３】
第３側方支持部１４５は、第１側方支持部１２５及び第２側方支持部１３５以外の側方支持部である。第３側方支持部１４５は、例えば、第１側方支持部１２５、第２側方支持部１３５、又は第３側方支持部１４５と共に、下方支持部１１５に陳列された商品を支持するための一部材であり、胴部１０１から手前側に突設される。第３側方支持部１４５は、商品を収容することが可能であれば、形状は特に限定されないが、本実施形態では棒状に形成される。
【００３４】
図３Ｃに示すように、第３側方支持部１４５の先端部１４５Ａは、透明板１０７の背面部分１０７Ｃに当接する。そのため、透明板１０７は、第３側方支持部１４５により支持される。なお、ここでいう、上記背面部分１０７Ｃとは、図２に示すＸＺ面に略平行なＹ軸負方向側の面の上方を指す。また、第３側方支持部１４５の透明板１０７に当接する部分の形状については特に限定されないが、図３Ｃに示すように、透明板１０７に対する支持をより安定にするために、先端部分が下方側に屈曲していることが望ましい。
【００３５】
＜１−３−４．第４側方支持部１５５について＞
次に、図２及び図３Ｄを参照しながら第４側方支持部１５５について説明する。図３Ｄは、本実施形態に係る商品陳列用什器の断面図（図２で示した商品陳列用什器１００のＤ−Ｄ断面図）である。
【００３６】
第４側方支持部１５５は、第１側方支持部１２５、第２側方支持部１３５、及び第３側方支持部１４５以外の側方支持部である。第４側方支持部１５５は、例えば、第３側方支持部１４５と共に、下方支持部１１５に陳列された商品を支持するための一部材であり、胴部１０１から手前側に突設される。第４側方支持部１５５は、商品を収容することが可能であれば、形状は特に限定されないが、本実施形態では棒状に形成される。
【００３７】
図３Ｄに示すように、第４側方支持部１５５の先端には下方屈曲部１８５が形成される。下方屈曲部１８５は、第４側方支持部１５５の先端部分が、下方側に屈曲して形成された部分である。下方屈曲部１８５が形成されることで、透明板１０７の前面、すなわち、透明板１０７の上方の前面部分１０７Ｄが下方屈曲部１８５に当接する。なお、ここでいう、上記前面部分１０７Ｄとは、図２に示すＸＺ面に略平行なＹ軸正方向側の面の上方を指す。そのため、透明板１０７は、第４側方支持部１５５により支持される。
【００３８】
（１−４．まとめ）
以上説明したように、本実施形態に係る商品陳列用什器１００によれば、商品収容部１０５の最前端位置に透明板１０７が配置されているために、陳列された商品を安定に支持しつつ、当該商品に対する良好な視認性を確保することができる。特に、上記透明板１０７が上方屈曲部１６５及びＬ字状屈曲部１７５によって支持されているために、手前側、左側、及び右側に透明板１０７が転倒することを防止し、透明板１０７を安定に支持することが可能になる。また、透明板１０７は、棒材１０４及び第３側方支持部１４５により背面側から支持されているために、背面側に透明板１０７が転倒することも防止し、透明板１０７を更に安定に支持することが可能になる。また、透明板１０７は、下方屈曲部１８５により前面側から支持されているために、前面側に透明板１０７が転倒することを防止し、透明板１０７をより安定に支持することが可能になる。
【００３９】
また、下方支持部１１５、第１側方支持部１２５、第２側方支持部１３５、第３側方支持部１４５、第４側方支持部１５５はどのような組み合わせ及び順序で設置されていてもよいが、商品陳列用什器１００では、横方向に第１側方支持部１２５、第３側方支持部１４５、第４側方支持部１５５、第３側方支持部１４５、第２側方支持部１３５の順に設置される。そのため、側方支持部１４５と第４側方支持部１５５とが、横方向に交互に設けられ、交互に前面及び背面から透明板１０７は支持されることとなり、透明板１０７をより安定に支持することが可能になる。
【００４０】
（１−５．第１の実施形態の変形例に係る商品陳列用什器１５０について）
次に、第１の実施形態の変形例に係る商品陳列用什器１５０について、図４Ａ〜Ｃを参照しながら説明する。図４Ａは、本実施形態の変形例に係る商品陳列用什器１５０の斜視図であり、商品情報表示部１２０を説明するための図である。また、図４Ｂは、本実施形態に係る商品陳列用什器の正面図であり、商品情報表示部を説明するための図である。また、図４Ｃは、商品情報表示部１２０の側面図である。なお、本実施形態に係る変形例において、第１の実施形態と実質的に同一の機能構成を有する構成要素については、同一の符号を付することにより重複説明を省略する。
【００４１】
商品陳列用什器１５０は、商品陳列用什器１５０全体を支持する胴部１０１と、胴部１０１に設けられる商品収容部１０５と、商品収容部１０５のＹ軸正方向における最前端位置に配置される透明板１０７と、商品収容部１０５に掛止される商品情報表示部１２０とを有する。また、商品収容部１０５を構成する枠体構造は、例えば、下方支持部１１５と、第１側方支持部１２５と、第２側方支持部１３５と、第３側方支持部１４５と、第４側方支持部１５５とから構成される。
【００４２】
商品陳列用什器１５０では、商品情報表示部１２０を有するという点以外は、第１実施形態に係る商品陳列用什器１００と実質的に同一の機能構成を有する。そのため、ここでは、商品情報表示部１２０の機能構成について主に説明する。
【００４３】
商品情報表示部１２０は、陳列される商品に関する情報を表示する。図４Ａ及び図４Ｂに示すように、商品情報表示部１２０は上方屈曲部１６５に掛止される。図４Ｃに示すように、商品情報表示部１２０は、上方屈曲部１６５に掛止される掛止部１２０Ａと、商品に関する情報を収容する商品情報収容部１２０Ｂとを有する。
【００４４】
掛止部１２０Ａが上方屈曲部１６５に掛止されることで、商品情報収納部１２０Ｂは、陳列される商品の位置よりも下方に位置することとなる。また、商品情報収容部１２０Ｂは、どのような形状の商品情報であってもよいが、例えば、紙状の商品情報を収容する。ここで、商品情報としてはどのような情報であってもよいが、例えば、陳列される商品の値段や商品名等の情報が挙げられる。
【００４５】
このように、本実施形態の変形例に係る商品陳列用什器１５０では、正面から見た場合に、商品情報表示部１２０に収容される商品情報が、陳列される商品の位置よりも下方に位置して表示されることになるため、陳列される商品の外観を隠してしまうことなく、有用な商品情報を表示することができる。また、商品陳列用什器１５０では、第１の実施形態に係る商品陳列用什器１００と同様に、商品収容部１０５の最前端位置に透明板１０７が配置されているために、陳列された商品を安定に支持しつつ、当該商品に対する良好な視認性を確保することができる。すなわち、商品陳列用什器１５０によれば、商品に対する良好な視認性を確保しつつ、有用な商品情報を表示することができる。
【００４６】
［２．本発明の第２の実施形態に係る商品陳列用什器２００について］
次に、図５Ａ〜Ｂ、図６、図７、及び図８を参照しながら、本発明の第２の実施形態に係る商品陳列用什器２００の機能構成について説明する。また、図６は、同実施形態に係るまた、図８は、本実施形態に係る商品陳列用什器２００に商品を陳列した状態を示す図である。なお、本実施形態において、第１の実施形態と実質的に同一の機能構成を有する構成要素については、同一の符号を付することにより重複説明を省略する。
【００４７】
まず、図５Ａ及び図５Ｂを参照する。図５Ａ及び図５Ｂは、本発明の第２の実施形態に係る商品陳列用什器２００を説明するための図である。商品陳列用什器２００は、商品陳列用什器２００全体を支持する胴部２０１と、胴部２０１に設けられる商品収容部１０５と、商品収容部１０５の最前端位置に配置される透明板１０７と、脚部２０９と、看板支持部２１１と、棒材２１２とを主に有する。商品陳列用什器２００は、商品収容部１０５の列が上下方向に胴部２０１に複数段設けられており、複数列及び複数段に商品が陳列される。なお、ここでいう、上下方向とは、図５Ａ及び図５Ｂに示すＺ方向を示す。
【００４８】
商品陳列用什器２００では、胴部１０１の代わりに胴部２０１を有するという点、胴部２０１に商品収容部１０５が複数段設けられているという点、及び脚部２０９と、看板支持部２１１と、棒材２１２とが設けられているという点以外は、第１実施形態に係る商品陳列用什器１００と実質的に同一の機能構成を有する。そのため、ここでは、胴部２０１、脚部２０９、看板支持部２１１、及び棒材２１２の機能構成について主に説明する。
【００４９】
商品陳列用什器２００の形状等については、特に限定されるものではないが、例えば、図５Ａ及び図５Ｂに示すように胴部２０１が、Ｚ軸方向に対して傾斜した状態で脚部２０９により支持されるように形成される。
【００５０】
胴部２０１は、複数段に設けられた商品収容部１０５を備えつける部分である。胴部２０１の形状は商品収容部１０５を複数段備えつけることが可能であれば、特に限定されないが、例えば、図５Ａ及び図５Ｂに示すように、胴部２０１は、棒材により形成された枠体構造であって、略矩形状に形成される。
【００５１】
また、胴部２０１には、図５Ａ及び図５Ｂに示すように、脚部２０９を挿入するための挿入部２１０が背面に設けられる。脚部２０９の形状等については、特に限定されないが、例えば、脚部２０９の枠材の断面が円や楕円等である場合に、当該枠材の形状に対応して脚部２０９を収容することが可能な円や楕円形状の底面を有する柱状構造である。
【００５２】
脚部２０９は、商品陳列用什器２００を支持するためのものである。脚部２０９は、商品陳列用什器２００を支持することが可能であれば、どのような形状を有していてもよいが、例えば、図５Ｂに示すように枠体構造で形成される。脚部２０９は、Ｙ軸方向に見て「コ」の字形状に形成され、棒材２１２によって支持される。
【００５３】
ここで、図６を参照しながら、脚部２０９が挿入部２１０に挿入される状態について説明する。図６は、脚部２０９を説明するための図であり、脚部２０９が挿入部２１０に挿入される状態を説明するための説明図である。図６（ａ）に示すように、脚部２０９の２箇所の屈曲した部分である屈曲部２０９Ａが、挿入部２１０の開口した底面部分から挿入される。屈曲部２０９Ａが挿入部２１０に挿入されることで、商品陳列用什器２００を平面上に設置することが可能になる。また、脚部２０９については、挿入部２１０から外すこともでき、脚部２０９を外した状態で、商品陳列用什器２００を天井から吊るして設置することも可能になる。
【００５４】
また、看板支持部２１１は、商品に関する情報が記載された看板２３０を支持する。看板２３０が表示されることで、商品陳列用什器２００に陳列される商品の情報を、商品を購入しようとする者は、容易に把握することができる。
【００５５】
ここで、図７を参照しながら、看板支持部２１１が看板２３０を支持する状態について説明する。図７は、商品陳列用什器２００の側面図であり、看板支持部を説明するための図である。図７に示すように、看板２３０は、看板支持部２１１に挟持されることで支持される。そのため、看板２３０は、看板支持部２１１により安定に固定されることになる。また、複数の看板支持部２１１が看板２３０を支持することで、看板２３０はより安定に固定されることになる。
【００５６】
以上説明した商品陳列用什器２００によれば、図８に示すように、商品収容部１０５が複数列且つ複数段に設けられていることで、省スペース化を実現しつつ、多数の商品を収容することが可能になる。また、商品陳列用什器２００では、各段に透明板１０７が設けられることで、商品陳列用什器１００と同様に、商品を安定に支持しつつ、商品の視認性を確保することができる。すなわち、商品陳列用什器２００では、複数種類の商品を安定に支持しつつ、一目で複数の商品の外観を把握することが可能になる。陳列される商品については、例えば、種が袋詰めされており、袋の一部が透明であることで上記種が外部から見えるような商品Ｍ等が挙げられる。商品陳列用什器２００では、袋の一部が透明であって種が袋詰めされた複数種類の商品Ｍを陳列しても、袋の透明な部分を隠してしまうことなく、外部から複数種類の種を視認することを可能にする。
【００５７】
［３．本発明の第３の実施形態に係る商品陳列用什器３００について］
次に、図９を参照しながら、本発明の第３の実施形態に係る商品陳列用什器３００の機能構成について説明する。図９は、同実施形態に係る商品陳列用什器３００を上から見た図である。なお、本実施形態において、第１の実施形態及び第２の実施形態と実質的に同一の機能構成を有する構成要素については、同一の符号を付することにより重複説明を省略する。また、本実施形態に係る商品陳列用什器３００において、商品収容部１０５が設けられる段数については、特に限定されないが、ここでは１段のみ商品収容部１０５が形成されたものを例に説明する。商品陳列用什器３００においても、第２の実施形態に係る商品陳列用什器２００のように商品収容部１０５が複数段設けられていてもよい。
【００５８】
商品陳列用什器３００は、胴部１０１と、商品収容部１０５と、透明板１０７と、弾性部材３１３とを主に有する。商品陳列用什器３００では、弾性部材３１３が設けられているという点以外は、商品陳列用什器１００又は商品陳列用什器１５０と実質的に同一の機能構成を有するので、本実施形態では弾性部材３１３の機能構成について主に説明する。
【００５９】
弾性部材３１３は、商品収容部１０５に収容される商品を前面に押し出すように押圧する。弾性部材３１３は、商品をＹ軸正方向に押し出すことが可能であれば、どのような形状、材質等を有していてもよいが、例えば、弾性部材３１３は、図９に示すようにバネ部材及びその先端に設けられた板材で形成される。
【００６０】
図９に示すように、商品収容部１０５に商品が収容されると、弾性部材３１３により当該商品は、奥行き側から手前方向に押し出される。押し出された商品は、透明板１０７によって支持される。そのため、商品は商品陳列用什器３００から落下することなく手前側に押し出される。また、商品は透明板１０７を介して視認可能なものである。従って、商品陳列用什器３００によれば、陳列された商品の非常に優れた視認性が確保される。
【符号の説明】
【００６１】
１００、１５０、２００、３００    商品陳列用什器
１０１、２０１    胴部
１０２、１０３、１０４、２１２    棒材
１０５    商品収容部
１０７    透明板
１１５    下方支持部
１２０    商品情報表示部
１２５    第１側方支持部
１３５    第２側方支持部
１４５    第３側方支持部
１５５    第４側方支持部
１６５    上方屈曲部
１７５    Ｌ字状屈曲部  １８５    下方屈曲部
２０９    脚部
２０９Ａ  脚屈曲部
２１０    挿入部
２１１    看板支持部
２３０    看板
３１３    弾性部材
Ｍ    商品
【図１Ａ】
2012024380.tif 000003
【図１Ｂ】
2012024380.tif 000004
【図１Ｃ】
2012024380.tif 000005
【図１Ｄ】
2012024380.tif 000006
【図２】
2012024380.tif 000007
【図３Ａ】
2012024380.tif 000008
【図３Ｂ】
2012024380.tif 000009
【図３Ｃ】
2012024380.tif 000010
【図３Ｄ】
2012024380.tif 000011
【図４Ａ】
2012024380.tif 000012
【図４Ｂ】
2012024380.tif 000013
【図４Ｃ】
2012024380.tif 000014
【図５Ａ】
2012024380.tif 000015
【図５Ｂ】
2012024380.tif 000016
【図６】
2012024380.tif 000017
【図７】
2012024380.tif 000018
【図８】
2012024380.tif 000019
【図９】
2012024380.tif 000020